(57)【要約】【課題】分割発光性を損なわず、入射面近傍の出射光に生じる目玉（ホットスポット）や明暗線を抑制する。【解決手段】導光板１は点状光源から出射された光を入射する入射面１０と入射面１０から入射した光を出射する出射面１１とを備え、出射面１１と反対側の裏面には出射面１１に向けて反射させる伝播反射面１２が形成されている。出射面１１は入射面１０に隣接した伝播領域１１ａと、伝播領域１１ａと隣接した拡散伝播補助領域１１ｂと、拡散伝播領域１１ｂに隣接した拡散伝播領域１１ｃとで構成されており、拡散伝播領域１１ｃに形成されるプリズム上端の湾曲部で、主に入射面近傍の目玉・明暗線を制御し、プリズムの直線部で、主に導光板１の視野角特性を制御する。【選択図】図３
2014007054.tif 000002
【特許請求の範囲】
【請求項１】
複数の点光源から出射された光が入射する入射面と、前記入射面から入射した前記光を出射する出射面と、前記出射面に対向する面であるとともに、前記入射面から入射した前記光を前記出射面に向けて伝播反射させる伝播反射面と、を有する導光板であって、
前記伝播反射面には、前記入射面に平行に延びる複数のプリズム溝が形成され、
前記出射面において前記入射面と隣接する領域にある伝播領域は、平面部分が形成され、
前記出射面において前記伝播領域と隣接する領域にある拡散伝播領域は、前記入射面に垂直に延びる複数のプリズム突起が形成され、前記プリズム突起は、上端に湾曲部を有する突起を含むことを特徴とする導光板。
【請求項２】
前記プリズム突起は、前記入射面と平行方向の突起断面の上端が湾曲部にて構成されるプリズム突起と、前記入射面と平行方向の突起断面の上端が直線部にて構成されるプリズム突起とを備える、請求項１記載の導光板。
【請求項３】
前記プリズム突起の前記入射面と平行方向の断面形状が山形状であり、
前記山形状における直線部の長さと前記湾曲部の長さとの割合が、
０．３≦（湾曲部の長さ）／（直線部の長さ）≦  １．０
を満たすことを特徴とする請求項１記載の導光板。
【請求項４】
前記伝播反射面に形成される前記プリズム突起の高さは、前記入射面から前記導光板の中央に向かって一定もしくは連続的に増加する、請求項１から３のいずれか１つに記載の導光板。
【請求項５】
前記プリズム突起の各プリズム尾根は、直線を含む曲線で形成される、請求項１から４のいずれか１つに記載の導光板。
【請求項６】
前記プリズム溝は、前記導光板の中央で溝深さを最大とし前記入射面に向かうにつれて連続的に浅く形成される、請求項１から５のいずれか１つに記載の導光板。
【請求項７】
請求項１から６のいずれか１つに記載の導光板と、複数の点光源と、を備える、バックライトユニット。
【請求項８】
請求項１から６のいずれか１つに記載の導光板と、少なくとも１つの拡散シートと、少なくとも１枚のプリズムシートと、前記導光板からの光を制御する複数の光学シートと、前記導光板を挟んで前記拡散シートの反対側に設けられるとともに前記出射面へ光を反射させる反射シートと、ＬＥＤと、を備える、面光源装置。
【発明の詳細な説明】
【技術分野】
【０００１】
本発明は、主に、液晶表示パネル等のバックライトユニットに使用される面光源装置に関する。
【背景技術】
【０００２】
近年、液晶表示装置は、軽量、薄型、低消費電力駆動などの特徴により、その応用範囲が急速に広まっている。液晶表示装置は、一般的に、自発光装置ではないためバックライトのような別途の光源が必要である。バックライトユニットは、主に、光源と、光源から出射された光を導光して面発光させる導光板（Ｌｉｇｈｔ  Ｇｕｉｄｅ  Ｐｌａｔｅ）とにより構成される。
【０００３】
一般的に、バックライトユニットは、光源の位置によって直下型方式とエッジライト方式などに分類される。直下型方式によれば、導光板の直下に多数の光源、例えば冷陰極管やＬＥＤ（Ｌｉｇｈｔ  Ｅｍｉｔｔｉｎｇ  Ｄｉｏｄｅ）が設けられ、光源から入射した光を、導光板にて拡散させ複数の光学シートを介して液晶表示装置パネルに照射する。エッジライト方式によれば、導光板の側端に光源が設けられ、光源から入射した光を導光板にて拡散させ、複数の光学シートを介して液晶表示パネルに照射する。
【０００４】
図３４は、ＬＥＤを採用したエッジライト方式のバックライトユニットの一例を示す。
図３４に示すように、導光板１０１の側面部には、点光源であるＬＥＤ１０６が複数個配置されている。また、導光板１０１の上方には、拡散シート１０２が配置されており、拡散シート１０２は、導光板１０１から出射された光を広く拡散させる。さらに、拡散シート１０２の上方にはプリズムシート１０３が配置され、プリズムシート１０３の上方にはプリズムシート１０４が配置され、プリズムシート１０４の上方には光学シート１０５が配置されており、それぞれ光を視認方向に集光させることにより高輝度化を図っている。
【０００５】
導光板１０１の材料には、従来より、透明樹脂などのパネルが使用されている。導光板１０１は、出射面と出射面に対向する底面との間の側面に、冷陰極管や複数のＬＥＤ１０６が並べられた点状光源などの一次光源が配置される入射面を有する。また、導光板１０１の底面には散乱ドットが印刷されており、このドットの大きさや密度などを調整することにより、視認方向の輝度分布が均一になるように調整される。このような構成において、一次光源から出射した光は、入射面を介して導光板１０１に入射し、導光板内部を通って、出射面から液晶表示部に向けて出射される。しかしながら、導光板の底面の散乱ドットの影響により、導光板１０１から出射された直後の光は広い角度に広がる配向分布を有するため、視認方向に光が向きにくい。
【０００６】
そこで、導光板１０１から出射された光を視認方向に集光させて高輝度化を図るため、互いに直交する２枚のプリズムシート１０３、プリズムシート１０４、および光学シート１０５が使用される。しかしながら、このような構成では、価格が高価なプリズムシートを２枚使用する必要があり、ユニットの構成部品点数が増え、組み立てが煩雑になるという課題があった。
【０００７】
そこで上記課題を解決するために、導光板の出射面や出射面に対向する底面などにプリズムを形成することにより、出射面から出射させる光を視認方向に向ける提案が多数なされているが、プリズム形状が規則的に並んで配置されると、入射面近傍に目玉（光が集まる部分、輝点）や明暗線が発生して、面光源の均一性が損なわれてしまう。また、ＬＥＤチップ１個当たりの高輝度化に伴いＬＥＤの設置間隔は従来よりも広がっているため、ＬＥＤの指向性の影響を受けやすくなっている。
【０００８】
上記課題を解決するため、出射面形状に複数のプリズムを使用して、目玉・明暗線を改善する提案がなされている（例えば、特許文献１）。
【０００９】
図３５および図３６は、特許文献１に記載された導光板２２の出射面形状を示す。
【００１０】
図３５は、特許文献１の実施例１における導光板２２の斜視図である。導光板２２は、光源からの入射面２２１と、入射面２２１に隣接する出射面２２３と、を有する。出射面２２３は、入射面２２１に隣接する第１の領域２２３Ａと、入射面２２１とは異なる位置にて第１の領域２２３Ａに隣接する第２の領域２２３Ｂとで構成される。
【００１１】
図３６は、図３５に示した導光板２２の上面図である。第１の領域２２３Ａと第２の領域２２３Ｂとの境界を、入射面２２１に平行な架空の境界線III−IIIとする。
【００１２】
図３５、３６に示すように、出射面２２３の第２の領域２２３Ｂには、複数の細長いプリズムレンズ２２５が形成されており、プリズムレンズ２２５の各側面エッジは、入射面２２１に垂直な方向に沿って延びる。さらに、出射面２２３の第１の領域２２３Ａには、規則的かつ定期的に配置された複数の細長い四面体レンズ２２６が形成される。
【００１３】
図３７は、図３６のIII−III線の断面図である。プリズムレンズ２２５は、Ｖ字突起で構成され、第２の領域２２３Ｂの全面に並べて配置されている。図３７に示されるように、各Ｖ字突起は三角形断面を有する。図３７に示すように、特許文献１の実施例１によれば、各三角形断面の頂角θ１は、約１７５°以下で設定されている。また、各三角形断面の下端の長さＰＬは約２．０ｍｍ以下で設定されており、各プリズムレンズ２２５の各三角形断面の高さＨも約２．０ｍｍ以下で設定されている。
【００１４】
また、図３６において、四面体レンズ２２６は、入射面に平行な方向沿いに、プリズムレンズ２２５と対応するように並んで整列される。各四面体レンズ２２６は、プリズムレンズ２２５に面する第１の側面２２６１と、互いに対向する第２の側面２２６３および第３の側面２２６５と、底面（図示せず）とを有する。第１の側面２２６１は、図３６の境界線III−IIIに位置する。また、図３６に示すように、境界線III−IIIにて四面体レンズ２２６の第１の側面２２６１とプリズムレンズ２２５の終端が相互接続しており、各四面体レンズ２２６と各プリズムレンズ２２５がそれぞれ対応して接続する。これに伴い、プリズムレンズ２２５の三角形断面の頂角θ１（図３７）と対応して、各第１の側面２２６１の頂角も約１７５°以下で設定されている。また、各第１の側面２２６１の下端の長さは約２．０ｍｍ以下で設定され、各第１の側面２２６１の高さＨも２．０ｍｍ以下で設定されている。
【００１５】
図３８は、図３６のIV−IV線の断面図を示す。図３８に示すように、四面体レンズ２２６の第２の側面２２６３と第３の側面２２６５で定義される尾根は、投影した角θ２および出射面２２３から相対する増加点（入射面２２１と第２の側面２２６３および第３の側面２２６５の尾根の線とが交わる点）を有する。特許文献１の実施例１によれば、角θ２は約８５°以下で設定されている。
【００１６】
特許文献１では、上記の構成を採用することによって、出射面に発生する目玉・明暗線を抑制することができると提案されている。
【先行技術文献】
【特許文献】
【００１７】
【特許文献１】米国特許第７４３１４９１号明細書
【発明の概要】
【発明が解決しようとする課題】
【００１８】
しかしながら、前記特許文献１の構成では、出射面において入射面と隣接する領域からプリズムが構成されているため、ＬＥＤの設置間隔が広くなると、ＬＥＤの指向性の影響により入射面近傍の出射面に明暗部が発生する。また、導光板外形寸法と有効発光領域とを等しく設定するとＬＥＤの熱の影響によって導光板が伸縮し、安定的に有効発光領域から出射できなくなる可能性があるため、導光板外形寸法を有効発光領域よりも大きくしておくことが望ましい。そうした場合、有効発光領域の外部にプリズム形状が存在すると、その領域において本来、液晶表示装置に使用されない光が出射面へ出射してしまう。その結果、光の利用効率が下がり、必要以上に電力を消費してしまう。
【００１９】
また、図３５の構成では、出射面２２３における入射面２２１付近の光の広がりが大きくなり、液晶画面をスクロール発光させた際に不必要な箇所に光がもれてしまう。このような光は残像として画面に映り、画面品質を落としてしまうため、分割発光性が損なわれることとなる。また出射面２２３側に異なる複数のプリズムを付与した場合、出射面２２３における特定の角度方向においては、ムラは解消されるが、プリズムの指向性によって、ある方向はムラが解消されないことがある。
【００２０】
したがって、本発明の目的は、上記問題を解決することにあって、出射面２２３において入射面２２１と隣接する領域が平面部分として形成されるとともに、出射面２２３において当該平面部分と隣接する領域は入射面に垂直に延びる一様なプリズム突起が形成されることにより、分割発光性を損なわず、かつ目玉や明暗線の発生を抑制する導光板を提供することにある。
【課題を解決するための手段】
【００２１】
上記目的を達成するために、本発明は以下のように構成する。
【００２２】
本発明の第１態様によれば、複数の点光源から出射された光が入射する入射面と、前記入射面から入射した前記光を出射する出射面と、前記出射面に対向する面であるとともに、前記入射面から入射した前記光を前記出射面に向けて伝播反射させる伝播反射面と、を有する導光板であって、
前記伝播反射面には、前記入射面に平行に延びる複数のプリズム溝が形成され、
前記出射面において前記入射面と隣接する領域にある伝播領域は、平面部分が形成され、
前記出射面において前記伝播領域と隣接する領域にある拡散伝播領域は、前記入射面に垂直に延びる複数のプリズム突起が形成され、前記プリズム突起は、上端に湾曲部を有する突起を含むことを特徴とする。
【００２３】
本発明の第２態様によれば、第１態様に記載の導光板において、前記プリズム突起は、前記入射面と平行方向の突起断面の上端が湾曲部にて構成されるプリズム突起と、前記入射面と平行方向の突起断面の上端が直線部にて構成されるプリズム突起とを備えることを特徴とする。
【００２４】
本発明の第３態様によれば、第１態様に記載の導光板において、前記プリズム突起の前記入射面と平行方向の断面形状が山形状であり、前記山形状における前記直線部の長さと前記湾曲部の長さとの割合が、
０．３≦（湾曲部の長さ）／（直線部の長さ）≦  １．０
を満たすことを特徴とする。
【００２５】
本発明の第４態様によれば、第１から第３態様のいずれか１つに記載の導光板において、前記伝播反射面に形成される前記プリズム突起の高さは、前記入射面から前記導光板の中央に向かって一定もしくは連続的に増加することを特徴とする。
【００２６】
本発明の第５態様によれば、第１から第４態様のいずれか１つに記載の導光板において、前記プリズム突起の各プリズム尾根は、直線を含む曲線で形成されることを特徴とする。
【００２７】
本発明の第６態様によれば、第１から第５態様のいずれか１つに記載の導光板において、前記プリズム溝は、前記導光板の中央で溝深さを最大とし前記入射面に向かうにつれて連続的に浅く形成されることを特徴とする。
【００２８】
本発明の第７態様によれば、第１態様から第６態様のいずれか１つに記載の導光板と、複数の点光源と、を備えることを特徴とする。
【００２９】
本発明の第８態様によれば、第１態様から第６態様のいずれか１つに記載の導光板と、少なくとも１つの拡散シートと、少なくとも１枚のプリズムシートと、前記導光板からの光を制御する複数の光学シートと、前記導光板を挟んで前記拡散シートの反対側に設けられるとともに前記出射面へ光を反射させる反射シートと、ＬＥＤと、を備えることを特徴とする。
【発明の効果】
【００３０】
以上のように、本発明の導光板によれば、分割発光特性および、光の利用効率を損なうことなく、目玉・明暗線を抑制することができる。
【図面の簡単な説明】
【００３１】
【図１】本発明の実施の形態１にかかる面光源装置の模式断面図
【図２】本発明の実施の形態１にかかる導光板の斜視図
【図３】本発明の実施の形態１にかかる導光板のＡ部の斜視図
【図４】本発明の実施の形態１にかかる導光板の伝播反射面における断面図
【図５】本発明の実施の形態１にかかる導光板のＹ１−Ｙ１断面におけるバックライトユニットから出射された光の輝度分布図
【図６】一般的な導光板におけるＬＥＤ設置ピッチが広くなることに起因し発生する暗部発生箇所の概図
【図７】導光板の入射面付近を出射面側から見た上面図
【図８】Ａ２３部の拡大詳細図
【図９】本発明の実施の形態１にかかる導光板のＡ部の上面図
【図１０】本発明の実施の形態１にかかる導光板のＹ２−Ｙ２線の断面図
【図１１】本発明の実施の形態１にかかる導光板のＸ１−Ｘ１線の断面図
【図１２】本発明の実施の形態１にかかる出射面にプリズム突起が形成されない導光板の光路図
【図１３】本発明の実施の形態１にかかる出射面にプリズム突起が形成されない導光板の目玉・明暗線発生位置を示す上面図
【図１４】本発明の実施の形態１にかかる出射面の有効発光領域の全面にプリズム突起が形成される導光板の光路図
【図１５】本発明の実施の形態１にかかる出射面の有効発光領域の全面に一様な直線部を有するプリズム突起が形成される導光板の目玉・明暗線発生位置を示す上面図
【図１６】本発明の実施の形態１にかかる出射面の有効発光領域にプリズム突起がある部分とない部分の両方が存在する導光板の上面図
【図１７】本発明の実施の形態１にかかる出射面の有効発光領域にプリズム突起がある部分とない部分の両方が存在する導光板の光路図
【図１８】本発明の実施の形態１にかかる出射面の有効発光領域にプリズム突起がある部分とない部分の両方が存在する導光板のＸ−Ｘ断面図
【図１９】出射面６１１の有効発光領域に、プリズム突起がある部分とない部分の両方が存在する場合と本発明の実施の形態１にかかる出射面の有効発光領域にプリズム突起がある部分とない部分の両方が存在する導光板の輝度分布比較図
【図２０】本発明の実施の形態１にかかる導光板の出射面形状の差異による輝度分布および入光部近傍断面の輝度グラフ比較図
【図２１】本発明の実施の形態１にかかる出射面の有効発光領域の全面に、上端にある割合の湾曲部Ｒ(直線部Ｓの長さ：湾曲部Ｒの長さ＝１：０．６)を付与した一様なプリズム突起が存在する導光板の試作結果図
【図２２】本発明の実施の形態２にかかる導光板の斜視図
【図２３】本発明の実施の形態２にかかる導光板のB部の斜視図
【図２４】本発明の実施の形態２にかかる導光板のB部の上面図
【図２５】本発明の実施の形態２にかかる導光板のＹ３−Ｙ３線における断面図
【図２６】本発明の実施の形態２にかかる導光板のＹ４−Ｙ４線における断面図
【図２７】本発明の実施の形態２にかかる導光板のＸ２−Ｘ２線における断面図
【図２８】本発明の実施の形態１の変形例にかかる導光板の斜視図
【図２９】本発明の実施の形態１の変形例にかかる導光板の上面図
【図３０】本発明の実施の形態１の変形例にかかる導光板のＹ５−Ｙ５線における断面図
【図３１】本発明の実施の形態２の変形例にかかる導光板の斜視図
【図３２】本発明の実施の形態２の変形例にかかる導光板の上面図
【図３３】本発明の実施の形態２の変形例にかかる導光板のＹ６−Ｙ６線における断面図
【図３４】ＬＥＤを採用したエッジライト方式のバックライトユニットの斜視図
【図３５】従来例にかかる導光板の斜視図
【図３６】従来例にかかる導光板の上面図
【図３７】従来例にかかる導光板のIII−III断面図
【図３８】従来例にかかる導光板のIV−IV断面図
【発明を実施するための形態】
【００３２】
以下本発明の実施の形態について、図面を参照しながら説明する。
【００３３】
（実施の形態１）
本発明の実施の形態１について、図１〜図２１を参照しながら説明する。図１は、実施の形態１にかかる面光源装置を示す断面図である。図１に示すように、面光源装置は、導光板１と、拡散シート２と、プリズムシート３と、光学シート４と、反射シート５と、ＬＥＤ６と、を備える。導光板１は、透明樹脂（例えば、アクリル系樹脂、ポリカーボネート）等を材料として形成されている。導光板１の上方には、導光板１の上面から出射される光を拡散させる拡散シート２が設けられる。拡散シート２は、透明な樹脂などのシートの内部に屈折率の異なる材料を分散させるか、透明なシートの上に透明な球状の材料を分散させるか、若しくは透明なシートの表面に凹凸を形成することによって構成される。拡散シート２から出射される光は、広い角度に広がった配向分布を有するため、視認方向に向いていないものが多い。
【００３４】
そこで、拡散シート２から出射された光を視認方向に集光させて高輝度化を図るため、拡散シート２の上方にプリズムシート３（指向性シート）が設けられており、さらに高輝度化を図るために、プリズムシート３の上方に光学シート４が設けられている。
【００３５】
反射シート５は、導光板１の下面および後述する点状光源のＬＥＤ６を覆うようにして配置され、光を導光板１の出射面１１の方向に反射させる。反射シート５は例えば、透明な樹脂シートの内部に数μｍ〜数１０μｍ程度の気泡を密に分散させるか、樹脂シート、金属板等に銀、アルミなどの反射率の高い材料を蒸着することによって構成されている。
【００３６】
ＬＥＤ６は点状光源であり、図１に示すように、導光板１の短辺側の側面近傍にそれぞれ複数個並べて設けられている。実施の形態１においては、片側で７２個、両側で１４４個のＬＥＤ６を導光板短辺側側面に略平行かつ並列で等間隔に配置している。また、導光板１の厚み方向の中心とＬＥＤ６の厚み方向の中心は一致するようにしている。
【００３７】
（導光板１の詳細について）
次に、導光板１の形状の詳細について、図２から図１８を用いて説明する。
【００３８】
図２は、導光板１の外観を示す。図２に示すように、導光板１は、略直方体形状に形成され、図１に示されるＬＥＤ６から出射された光が入射する入射面１０と、入射面１０から入射した光を出射する出射面１１と、出射面１１に対向する面であるとともに、入射面１０から入射した光を出射面１１に向けて伝播反射させる伝播反射面１２と、これらの面に隣接する側面１３とを備える。これらの面は全て、光学平面に仕上げられている。図２に示すように、入射面１０に平行で側面１３に垂直な方向をＸ方向、入射面１０に垂直で側面１３に平行な方向をＹ方向、入射面１０に平行で出射面１１に垂直な方向をＺ方向とする。
【００３９】
図２のＡ部の詳細を図３にて説明する。図３に示すように、伝播反射面12には、入射面10に略平行で、Ｘ方向に延びるプリズム溝１２ａが複数配置されている。プリズム溝１２ａを入射面１０に垂直な平面で見たときの断面は略Ｖ字形状もしくは略台形形状である。また、プリズム溝１２ａの深さは、導光板１の中央で最大とし入射面１０に向かうにつれて連続的に浅くなるように構成されている。実施の形態１においては、プリズムピッチを５００μｍ、プリズム溝１２ａの深さを４μｍから７０μｍの範囲で定義している。なおプリズム形状、プリズムピッチ、プリズム深さは、出射面の輝度分布や視野角特性といった光学特性に応じて、適宜変化させる。
【００４０】
図４は、伝播反射面１２での概光路図を示す。図４に示すように、プリズム溝１２ａを設けることにより、光がプリズム溝１２ａに当たって光の伝播反射方向を変化させることができる。そして、上述のようにプリズム溝１２ａの深さを（Ｙ方向において）増減させることによって、プリズム溝１２ａに形成される斜面の面積を増減させ、出射面１１側に伝播反射させる光量を変化させることができる。また、必要な光学仕様に応じて、プリズム角度θ1、θ2を適宜変化させることによって、出射面における光の出射角度を変えることが可能となる。
【００４１】
図５は、図２のＹ１−Ｙ１線の断面における、バックライトユニットから出射される光の輝度分布を示す。プリズム溝１２ａの深さを導光板１の中央部では深くし入射面１０付近では浅く設定しているため、図５に示されるように、導光板１の中央部ほど輝度が高くなっている。このように、プリズム溝の形状を調節することにより、出射される光の輝度分布を変化させることができる。
【００４２】
図３に示すように、出射面１１には、入射面１０と隣接し、入射した光を拡散させながら伝播させる伝播領域１１ａと、Ｙ方向にて伝播領域１１ａと隣接し、伝播された光を拡散させながら伝播する拡散伝播補助領域１１ｂと、Ｙ方向にて拡散伝播補助領域１１ｂと隣接し、伝播された光を拡散させながら伝播する拡散伝播領域１１ｃとが形成されている。
【００４３】
伝播領域１１ａは、プリズム突起を有さず、光学平面に仕上げられた平面で構成され、表面粗さはＲｔ＝０．０３以下で定義されている。伝播領域１１ａにはプリズム突起が存在しないため、伝播領域１１ａでは、ほとんどの光が全反射して、拡散伝播補助領域１１ｂおよび１１ｃへ伝播する。このように、伝播領域１１ａにおいては、入射光量に対する視認方向への出射光量が少なくなるため、視認方向への出射光量は伝播領域１１ａを除く２つの領域（拡散伝播補助領域１１ｂ、拡散伝播領域１１ｃ）によって定まる。
【００４４】
ここで、従来の導光板において、ＬＥＤ設置ピッチが広くなることに起因して発生する暗部発生箇所の概略図を図６に示す。図６に示すように、ＬＥＤ６の設置間隔Ｌ1が広くなると導光板１０１の出射面１１において入射面１０付近に暗部Ａ２が発生しやすい。本実施の形態１では、このような暗部Ａ２の発生を防止するために、図３に示した出射面１１において入射面１０に隣接する領域に伝播領域１１ａを設けている。伝播領域１１ａを設けることにより、光源からの熱によって導光板１が伸縮する影響を有効発光領域（本実施の形態１では拡散伝播領域１１ｃ）に与えないようにすることができ、さらに、ＬＥＤ配置位置および指向特性に依存して発生する暗部Ａ２を有効発光領域外である伝播領域１１ａに収めることができる。
【００４５】
次に、伝播領域１１ａの範囲の設定について詳細に説明する。図７は、導光板１の入射面１０付近を出射面１１側から見たときにＬＥＤ６から出た光の光路を示す。図７において、線ＲはＬＥＤ６の指向特性の半値角から出射された光線である。ここで、出射面１１において線Ｒと入射面１０によって囲まれた領域である交差部Ａ２２は、図６で示された暗部Ａ２に含まれ、ＬＥＤ６の配置位置および指向特性に依存して発生する。図７に示すように、ＬＥＤ設置ピッチＬｐ、ＬＥＤ単体の幅Ｌｗ、およびＬＥＤの指向性によって、交差部Ａ２２および暗部Ａ２の範囲は変化する。
【００４６】
図８は、Ａ２３部の拡大詳細図を示す。図７、８に示すように、ＬＥＤ６から導光板１への入射角をθｉ、屈折角をθｒ、ＬＥＤ６から導光板１までの間の屈折率をｎ１、導光板１内の屈折率をｎ２、ＬＥＤ６から入射面１０までの距離をＬｄ１、入射面１０から交差部Ａ２２までの距離（暗部発生距離）をＬｄとすると、スネルの法則から、以下の式が導かれる。
【数１】
2014007054.tif 000003
この式を展開すると、さらに以下の式が導かれる。
【数２】
2014007054.tif 000004
この式から分かるように、伝播領域１１ａの範囲は、暗部発生距離Ｌｄを目安に設定すればよい。
【００４７】
図３に示すように、拡散伝播領域１１ｃにはプリズム突起が形成されている。導光板１を上方（Ｚ方向）から見たとき、プリズム突起は、入射面１０に垂直な方向（Ｙ方向）に延びるとともに、伝播反射面１２に形成されたプリズム溝１２ａと略直交する方向に延びるように形成される。
【００４８】
図９は、図２のＡ部における導光板１の上面図を示す。図９に示すように、拡散伝播補助領域１１ｂに形成されるプリズムの尾根１１ｂ１、拡散伝播領域１１ｃに形成されるプリズムの尾根１１ｃ１は相互に接続しており、連続した尾根が形成されている。
【００４９】
導光板１の形状を異なる角度から見るため、図１０に、図９のＹ２−Ｙ２線における導光板１の断面図を示し、図１１に、図９のＸ１−Ｘ１線における導光板１の断面図を示す。図１０において、Ｈ１は拡散伝播領域１１ｃのプリズム高さであり、またθ３は拡散伝播補助領域Ｌ１１ｂの傾きである。
【００５０】
図１１に示すように、プリズムの延在方向と垂直な断面（入射面１０と平行方向の突起断面）において、図９に示した拡散伝播領域１１ｃに形成されるすべてのプリズムの上端は直線形状ではなく、プリズムの斜面長さに対して、ある一定割合の湾曲部Ｒ（上方に凸状）が付与されている。またθ４は、拡散伝播補助領域１１ｂおよび拡散伝播領域１１ｃに形成されるプリズムの頂角を示す。
【００５１】
図１１において破線部が湾曲部Ｒを示しており、湾曲部Ｒとプリズムの直線部Ｓ（直線部Ｓ１およびＳ２）は接線で結ばれるように形成されている。
【００５２】
（出射面にプリズム突起が形成されない場合）
図１２は、出射面４１１がプリズム突起の形成されない平面として構成される場合において、導光板４０１を入射面４１０に平行な断面（ＸＺ断面）で見たときの光路概略図を示す。
【００５３】
図１２に示すように、出射面４１１にプリズム突起が形成されない場合、ＬＥＤ６から入射した光は入射面４１０を通じて導光板４０１に入り、導光板４０１内で反射・屈折を繰り返した後、正面方向に対して広がりを持った状態で出射面４１１から出射される。分割発光させた際には、この光の広がりによって不要な範囲にまで光が出射してしまい、光の特性を悪化させる要因となっている。この結果として導光板４０１の出射面４１１に生じる現象について、出射面４１１の上方（Ｚ方向）から見た図を図１３に示す。
【００５４】
図１３は、出射面４１１全体が平面部分として形成され、プリズム突起が形成されない場合において、出射面４１１に発生する目玉Ａ３・明線Ａ４を示す。
【００５５】
まずは、入射面４１０近傍の領域に発生する目玉Ａ３について説明する。図１２に示すように、出射面４１１においてＬＥＤ６の正面方向（Ｙ方向）に近いほど、光の入射角が小さくなる傾向があり、光が取り出されやすい。一方で、ＬＥＤ６の正面方向から離れるほど、入射角が大きくなって光が全反射するため、光が取り出されにくくなる。したがって、図１３に示すように、出射面４１１における入射面４１０近傍の領域では、ＬＥＤ６の正面方向に集中して光が取り出されることにより、周囲よりも明るい部分である目玉Ａ３が生じる。
【００５６】
一方で、入射面４１０からある程度の距離においては、ＬＥＤ６の指向性の影響により光の強さに不均衡が生じることに起因して、光が強くなるＬＥＤ６の正面方向に明線Ａ４が発生する。なお、さらにある程度の距離になると他のＬＥＤから出射される光の影響を受けて光の強さが平均化されるため、明線Ａ４は消えていく。このように、目玉Ａ３および明線Ａ４は、ＬＥＤ６の指向性に大きく依存して発生するものであり、いずれも出射面４１１全体にプリズム突起が形成されない場合にはＬＥＤ６の正面方向に発生する。また、ＬＥＤ設置ピッチが広くなったり、ＬＥＤ１つ当たりの全光束が高くなるに連れて、目玉Ａ３・明線Ａ４の領域とその周囲の領域との明暗差はさらに大きくなる。
【００５７】
（出射面の有効発光領域の全面に一様な直線部Ｓを有するプリズム突起が形成される場合）
一方、図１４は、出射面５１１の有効発光領域の全面にプリズム突起が形成される場合（有効発光領域に平面部分が存在しない場合）において、導光板５０１を入射面５１０に平行な断面（ＸＺ断面）で見たときの光路概略図を示す。
【００５８】
図１４に示すように、プリズム突起が出射面５１１の有効発光領域の全面に形成される場合において、ＬＥＤ６から入射した光は入射面５１０を通じて導光板５０１内部に入って反射・屈折を繰り返し、その多くが出射面５１１の正面方向に集光された状態にて出射面５１１から出射される。したがって、出射面５１１にプリズム突起が形成されない場合に比べて、分割発光させた際に不要な範囲への出射光量が減り、光の直進性が向上し、分割発光特性が向上する。しかしながら、このような場合においても、上述したような目玉・明暗線が発生する。
【００５９】
図１５は、プリズム突起が出射面５１１の有効発光領域の全体に形成される場合に発生する目玉Ａ５、明線Ａ６を示す。このような一様に直線部Ｓを有するプリズム突起が形成される場合には、プリズム突起が形成されない場合と異なり、図１５に示すように、ＬＥＤ６の正面方向に近い箇所（上述のＡ３部に相当）では光が全反射し、ＬＥＤ６の正面方向から離れたＡ５部では光は全反射せずに出射面から取り出される。したがって、目玉Ａ５は、図１５に示すようにＬＥＤ６の正面方向からずれた位置にて発生する。一方で、明線Ａ６は、プリズム突起の有無を問わず、ＬＥＤ６の正面方向に発生する。ＬＥＤ設置ピッチが広くなったり、ＬＥＤ１つ当たりの全光束が高くなるに連れて、目玉Ａ５・明線Ａ６の領域とその周囲の領域との明暗差はさらに大きくなる。
【００６０】
（出射面の有効発光領域に、プリズム突起がある部分とない部分の両方が存在する場合）
図１６に示すように、導光板６０１において、第２拡散伝播領域６１１ｄには、平面部分は存在せずプリズム突起のみが存在するが、拡散伝播補助領域６１１ｂおよび第１拡散伝播領域６１１ｃには、プリズム突起がある部分とない部分（平面部分）の両方が存在し、それぞれの部分はX方向において交互に形成されている。
【００６１】
図１７は、拡散伝播補助領域６１１ｂおよび第１拡散伝播領域６１１ｃを入射面６１０に平行な断面（ＸＺ断面）で見たときの光路概略図を示す。拡散伝播補助領域６１１ｂおよび第１拡散伝播領域６１１ｃでは、プリズム突起が形成されていることにより、プリズム突起が形成されない場合に比べて光の直進性が向上し、分割発光特性が向上する。
【００６２】
また、目玉・明暗線は光の強弱によって視認されるものであり、目玉の発生位置はプリズム突起の有無によって異なる。したがって、拡散伝播補助領域６１１ｂおよび第１拡散伝播領域６１１ｃに形成されるプリズム突起の高さをある範囲から滑らかに変化させることにより、プリズム突起の斜面の角度を変化させて光の出射方向を制御し、光の強さの均一化を図る。こうすることにより、目玉・明暗線の発生を防止することができる。
【００６３】
具体的には、図１８において、拡散伝播補助領域６１１ｂおよび第１拡散伝播領域６１１ｃのプリズム高さを入射面６１０から遠くなるほど（Ｙ方向において）増加させており（図１８においては、高さＨ３から高さＨ４へ増加）、第２拡散伝播領域６１１ｄのプリズム高さは一定としている。また拡散伝播補助領域６１１ｂでは領域長さＬ６１１ｂを、拡散性に応じて適宜変化させるとともに、加工するバイト形状によって適宜変化させる。その結果、Ｌ６１１ｂと高さＨ３によって、傾きθ５は決まる。
【００６４】
しかしながら、上記のプリズム構成では有効発光領域に存在する複数のプリズムの影響によって、正面方向からの視認性は改善されるものの、角度方向からの視認性まで改善することができない。図１９に、前述のプリズム構成における導光板上での視認性確認結果と、実施の形態１における導光板上での視認性確認結果を示す。図１９（Ａ）は、図１６に示した出射面６１１の有効発光領域に、プリズム突起がある部分とない部分の両方が存在する場合の導光板上での輝度分布を示し、また図１９（Ｂ）は、図３に示した出射面１１の有効発光領域の全面に、上端にある割合の湾曲部を付与した一様なプリズム突起が形成される場合の導光板上での輝度分布を示す。
【００６５】
図１９（Ａ）に示すように、図１６に示した出射面６１１の有効発光領域に、プリズム突起がある部分とない部分の両方が存在する場合（図１７）において、θが０°に近い正面方向では視認性に大きな問題はないが、θが６０°以上の角度方向においては、視認性が悪化していることがわかる。具体的には、θが６０°以上の角度方向において、入光部近傍（図示上方）は輝線ムラが発生しているのに対して、入光部から離れていくと急激に明るさが変化している。これは、第１拡散伝播領域６１１ｃのプリズムによって光の伝播方向が変化して、第２拡散伝播領域６１１ｄでの光の伝播方向と差異が生じているためである。以上のことから、有効発光領域内に複数のプリズムを用いて、分割発光性を維持しつつ、目玉・輝線ムラを完全に消すことは難しい。このような輝度ムラの変化は、拡散伝播補助領域６１１ｂおよび第１拡散伝播領域６１１ｃのプリズム面によって変化する。すなわち、第１拡散伝播領域６１１ｃのプリズム面の３次元的な角度や、ＬＥＤの指向性、導光板の屈折率によって変化する。
【００６６】
（出射面１１の有効発光領域の全面に、上端にある割合の湾曲部を付与した一様なプリズム突起が形成される場合）
図９に示すように、導光板１において、拡散伝播領域１１ｃには、平面部分は存在せずプリズム突起のみが存在する。また拡散伝播補助領域１１ｂは有効発光領域外に形成されている。図１１に示す湾曲部Ｒの断面形状を有する場合における光路は、図１４に示した出射状態から、湾曲部Ｒの湾曲形状によって光が分散される。よって、図１３や図１５に示したような特定方向に光が集中して出射されることに起因する目玉や輝線・暗線は発生しにくくなる。また図１９（Ｂ）に示すように、上述したプリズム構成における導光板上での視認性においては、正面方向では視認性に大きな問題はなく、θが６０°以上の角度方向においても視認性が悪化していないことが分かる。これは、プリズムの直線部Ｓに分割発光性を確保する機能を持たせるとともに、プリズム上端の湾曲部Ｒに入光部の目玉・輝線ムラを解消させる機能を持たせることによって、分割発光性を維持しつつ、目玉・輝線ムラを解消することができるためである。
【００６７】
具体的には、図１０において、拡散伝播補助領域１１ｂのプリズム高さを入射面１０から遠くなるほど（Ｙ方向において）増加させており、拡散伝播領域１１ｃのプリズム高さは一定としている。実施の形態１においては、拡散伝播領域１１ｃの高さＨ１を３２．５μｍとし、上端の湾曲部Ｒの半径を２０μｍとしている。また、Ｌ１１ａ、Ｌ１１ｂ、Ｌ１１ｃの長さは、Ｌ１１ｂ＜Ｌ１１ａ＜Ｌ１１ｃの関係を満足する。プリズム上端の湾曲部Ｒは、主に出射面１１の目玉・明暗線の発生を防止する役割を持ち、直線部Ｓは、主に導光板１の視野角特性を制御する役割を持つ。
【００６８】
Ｌ１１ａ、Ｌ１１ｂ、Ｌ１１ｃの役割について、さらに詳細に説明する。Ｌ１１ａは、ＬＥＤ設置ピッチおよびＬＥＤの指向性に起因する目玉の発生や光源からの熱の影響による導光板の伸縮を防ぐ役割を持つ。Ｌ１１ｂは、目玉の発生を抑制するためにＬ１１ｃの補助をする役割を持ち、ＬＥＤの指向性が強い場合に、より有効である。Ｌ１１ｃは、プリズム上端に湾曲部Ｒが形成されていることにより、目玉・明暗線を抑制するだけでなく、目玉・明暗線が発生しない範囲の光の出射方向を正面方向に集光させることができる。
【００６９】
実施の形態１においては、Ｌ１１ｂの傾きθ３は３°に設定されている。Ｌ１１ａ、Ｌ１１ｂの長さはそれぞれ、約２ｍｍ、約０．７ｍｍとしている。また、ＬＥＤ設置ピッチが短いほどＬ１１ａの長さを短くすることができ、ＬＥＤ設置ピッチが長いほどＬ１１ａの長さを長くする。Ｈ１、Ｌ１１ｂ、Ｌ１１ｃの長さについても、ＬＥＤ設置ピッチおよびＬＥＤ１個当たりの有する全光束によって適宜変化させる。また、図１１に示すように、出射面１１のプリズム形状の配置ピッチＰは６５μｍ、頂角θ４は約９０°としている。これらの数値も、必要とされる光学特性に応じて適宜変化させる。
【００７０】
（プリズム突起を構成する直線部Ｓと湾曲部Ｒの割合）
ここで、プリズム突起を構成する直線部Ｓと湾曲部Ｒの割合について説明する。図２０（Ｃ）−（Ｆ）は、特定のＬＥＤを発光させることにより、特定の分割発光範囲を分割発光させた場合の、入光部近傍における導光板上の輝度分布（上方視）、断面輝度グラフ（Ａ−Ａ断面、Ｂ−Ｂ断面、Ｃ−Ｃ断面、Ｄ−Ｄ断面）、および特性評価を示す。
【００７１】
図２０（Ｃ）は、一様な直線部Ｓを有するプリズム突起が形成される場合を示し、図２０（Ｄ）は、出射面１１のプリズムにおいて直線部Ｓの長さ：湾曲部Ｒの長さの比率を１：０．６にした場合を示し、図２０（Ｅ）は、出射面１１のプリズムにおいて直線部Ｓの長さ：湾曲部Ｒの長さの比率を１：０．３にした場合を示し、図２０（Ｆ）は、出射面１１のプリズムにおいて直線部Ｓの長さ：湾曲部Ｒの長さの比率を１：１にした場合を示す。なお断面輝度グラフにおいて、Ｘ軸は、導光板の側面からの距離（ｍｍ）を表すとともに、Ｙ軸は、正面側から測定した正面輝度（ｃｄ／ｍ２）を表す。
【００７２】
図２０（Ｃ）は、出射面側の有効発光領域の全面に図１４に示すような一様な直線部Ｓを有するプリズム突起が形成される場合における導光板上での輝度分布図の確認結果である。図２０（Ｃ）に示すように、入光部近傍（図示左側）に輝度差が大きく現れていることがわかる。また断面Ａ−Ａの輝度グラフを確認すると、発光面における暗部の輝度ｂｂに対する明部の輝度ａａの差が４〜５倍程度であることがわかる。この影響によって目玉が視認される。同様に、図２０（Ｄ）は、有効発光領域の全面に、図１１に示すような上端にある割合の湾曲部Ｒを付与した一様なプリズム突起が形成される場合における、導光板上での輝度分布図および断面Ｂ−Ｂの輝度グラフである。図２０（Ｄ）に示すように、入光部近傍において、前述の輝度差が１．５〜２倍程度緩和されていることが分かる。実施の形態１では、直線：Ｒの割合を１：０．６としている。
【００７３】
また、この時の導光板の試作結果を図２１に示す。図２１（Ａ）は、導光板上での発光写真であり、図２１（Ｂ）は、導光板上に拡散シートを置いた状態での発光写真であり、図２１（Ｃ）は、導光板上に拡散シートとプリズムシートを置いた状態での発光写真であり、図２１（Ｄ）は、導光板上に拡散シートとプリズムシートと光学シートを置いた状態での写真である。また評価方向は、出射面に対して鉛直方向を０度として、０度と７０度方向から確認している。図２１（Ｄ）に示すように、すべての光学シートを組み合わせた状態で目玉・輝線が解消されていることが分かる。
【００７４】
一方で、図２０（Ｅ）は、直線部Ｓの長さ：湾曲部Ｒの長さの割合を１：０．３にした場合の輝度分布図および断面Ｃ−Ｃの輝度グラフである。図２０（Ｆ）は、直線部Ｓの長さ：湾曲部Ｒの長さの割合を１：１にした場合の輝度分布図および断面Ｄ−Ｄの輝度グラフである。
【００７５】
図２０に示す結果より、プリズムにおける直線部Ｓの長さ：湾曲部Ｒの長さの比率を変化させることによって、輝度差の度合いが変化していることが分かる。この変化量を、導光板上に設置する光学シートの特性に応じて適宜変更すればよい。より具体的には、導光板上での輝度の振幅差を小さくすることで目玉ムラが改善されるが、湾曲部Ｒの長さが過剰に大きくなると、分割発光性が悪化してしまう。そこで、プリズム突起の入射面と平行方向の断面形状が山形状（上方に凸状）であり、山形状における直線部Ｓの長さと湾曲部Ｒの長さとの割合が、
０．３≦（湾曲部Ｒの長さ）／（直線部Ｓの長さ）≦  １．０
を満足すると、分割発光性の確保と目玉・輝線ムラの解消を両立するにあたって好ましいといえる。
【００７６】
以上のように、本実施の形態１にかかる導光板１によれば、平面部分である伝播領域１１ａは、光源からの熱による導光板の伸縮による、有効発光領域に与える影響を抑制する。また、拡散伝播補助領域１１ｂおよび拡散伝播領域１１ｃは、上端に湾曲部Ｒを有するプリズム突起が一様に形成されていることにより、出射光を均一化して目玉・明暗線の発生を抑制するとともに、光の出射方向を正面方向に集光させる。このように各プリズム突起を設定することによって、分割発光性および光の利用効率を損なうことなく、目玉・明暗線を抑制することができる。
【００７７】
（実施の形態２）
本発明の実施の形態２にかかる面状光源装置について、図２２〜図２７を参照しながら説明する。
【００７８】
本実施の形態２にかかる面状光源装置は、実施の形態１にかかる面状光源装置（図２）と比較して、導光板１の出射面１１の形状のみが異なり、その他の構成は上記実施の形態１と同様である。具体的には、プリズム突起のグループを２つ設け、そのグループの配置割合をＬＥＤ設置ピッチおよびＬＥＤ１つ当たりの有する全光束によって変化させるというものである。図２２は、本実施の形態２にかかる導光板２１を示し、図２３、２４はそれぞれ、図２２のＢ部における導光板２１の斜視図および上面図である。図２２において、出射面３１は入射面１０から入射した光を出射する面である。
【００７９】
図２３に示すように、２つのグループのプリズム突起とは、導光板２１からの光の出射方向を制御する役割を有する、拡散伝播補助領域３１ｂと拡散伝播領域３１ｃとを含むプリズム突起グループＧ１と、拡散伝播補助領域３１ｅと拡散伝播領域３１ｆとを含むプリズム突起グループＧ２である。これらプリズム突起グループＧ１、Ｇ２の配置割合を変化させることによって、局所的に光の出射方向変化させることができ、分割発光特性の向上および目玉・明暗線の抑制が可能となる。プリズム突起についての詳細な説明は後述する。
【００８０】
図２４に示すように、プリズム突起グループＧ１において、拡散伝播補助領域３１ｂに形成されるプリズムの尾根３１ｂ１および拡散伝播領域３１ｃに形成されるプリズムの尾根３１ｃ１は相互に接続している。同様に、プリズム突起グループＧ２において、拡散伝播補助領域３１ｅに形成されるプリズムの架空の尾根３１ｅ１および拡散伝播領域３１ｆに形成されるプリズムの架空の尾根３１ｆ１も相互に接続している。
【００８１】
図２５は、図２４のＹ３−Ｙ３線の断面図（プリズム突起グループＧ１）、図２６は、図２４のＹ４−Ｙ４線の断面図（プリズム突起グループＧ２）を示す。図２７は、図２４のＸ２−Ｘ２線の断面図を示す。
【００８２】
図２７において、プリズム突起グループＧ１は、上端に直線形状を有するプリズム突起であり、プリズム突起グループＧ２は、円形状断面（上端に湾曲部）を有するプリズム形状である。プリズム突起グループＧ１のプリズムは、分割発光性を確保する役割を持ち、プリズム突起グループＧ２のプリズムは、目玉・輝線を抑制する役割を持つ。その理由は、プリズム突起グループＧ１のプリズム(直線形状)が特定方向に光を向ける効果を有し、プリズム突起グループＧ２のプリズム(Ｒ形状)が不特定方向に光を分散させる効果を有するためである。
【００８３】
図２５を用いて、プリズム突起グループＧ１のプリズム突起形状について説明する。図２５に示すように、拡散伝播補助領域３１ｂのプリズム高さは入射面３０から遠くなるほど（Ｙ方向において）増加させており、その傾きθ６によって拡散伝播補助領域Ｌ３１の長さＬ３１ｂが決まる。また拡散伝播領域３１ｃのプリズム高さＨ５は一定としている。実施の形態２においては、図２５に示すＬ３１ａ、Ｌ３１ｂ、Ｌ３１ｃの長さは、Ｌ３１ｂ≦Ｌ３１ａ＜Ｌ３１ｃの関係を満足する。Ｌ３１ｂは、主に入射面の光の拡散伝播を補助する役割を持ち、Ｌ３１ｃは、主に導光板の視野角特性を制御する役割を持つ。具体的な作用については、上記実施の形態１で示したものと同様である。
【００８４】
次に、図２６を用いてプリズム突起グループＧ２のプリズム突起形状について説明する。図２６に示すように、拡散伝播補助領域３１ｅのプリズム高さを入射面３０から遠くなるほど増加させており、その傾きθ７によって拡散伝播補助領域３１ｅの長さＬ３１ｅが決まる。また拡散伝播領域３１ｆのプリズム高さＨ６は一定としている。実施の形態２においては、図２６に示すＬ３１ａ、Ｌ３１ｅ、Ｌ３１ｆの長さは、Ｌ３１ｅ≦Ｌ３１ａ＜Ｌ３１ｆの関係を満足する。Ｌ３１ｅ、Ｌ３１ｆは、主に入射面の目玉・明暗線を制御する役割を持つ。
【００８５】
図２５に示す断面形状を有するプリズム突起グループＧ１と図２６に示す断面形状を有するプリズム突起グループＧ２の配置する割合（図２３では１：１）や、プリズム突起グループＧ１のプリズム高さＨ５、プリズム突起グループＧ２のプリズム高さＨ６は、ＬＥＤ設置ピッチおよびＬＥＤ１個当たりが有する全光束の変化によって適宜変化させる。そうすることによって、光の強度の均一化を一層図ることができ、分割発光特性および光の利用効率を損なうことなく、目玉・明暗線を抑制することができる。
【００８６】
以上のように本発明によれば、実施の形態１と同様にエッジライト式バックライトにおいて、使用するＬＥＤの個数およびＬＥＤ設置ピッチに応じて出射面形状を変化させることにより、光の利用効率を損なうことなく、ＬＥＤの配置間隔に依存せずに、必要最小限のＬＥＤ個数で分割発光性を損なわず、省電力でＬＥＤから光を効率よく取り出すことができる。さらに、目玉・明暗線をなくすことにより、均一性を損なわない導光板を実現することができる。また、分割発光性においては、導光板の短手方向の不要エリアへの光モレ量を低減することができる。
【００８７】
なお、本発明は上記実施形態に限定されるものではなく、その他種々の態様で実施できる。例えば、前述の実施の形態１、２において、拡散伝播補助領域１１ｂ、３１ｂがない構成を採用しても良い。
【００８８】
図２８、２９は、上記実施の形態１について拡散伝播補助領域１１ｂがない場合の変形例にかかる導光板４１の斜視図および上面図であり、図３０は、図２９のＹ５−Ｙ５線における導光板４１の断面図である。また、図２９のX３−X３線における導光板４１の断面図は、上記実施の形態１にかかる図１１と同じである。
【００８９】
さらに、図３１、３２は、上記実施の形態２について拡散伝播補助領域３１ｂがない場合の変形例にかかる導光板６１の斜視図および上面図であり、図３３は、図３２のＹ６−Ｙ６、Ｙ７−Ｙ７線における導光板６１の断面図である。同様に、図３２のX４−X４線における導光板６１の断面図は、上記実施の形態２にかかる図２７と同じである。
【００９０】
上記変形例は、拡散伝播補助領域１１ｂ、３１ｂがないという点以外は上記実施の形態１、２と同様であるため、各構成要素の詳細な説明については省略する。有効発光領域外に配置される拡散伝播補助領域１１ｂ、３１ｂは、有効発光領域に対して微小な範囲であり、導光板１、２１の品質に大きく影響を与えるものではないが、拡散伝播補助領域１１ｂ、３１ｂを形成しない構成とすることにより、拡散伝播補助領域１１ｂ、３１ｂにて生じる微小な光のロスを防止することができる。
【００９１】
また、上記実施の形態および変形例では、ＹＺ断面で見たときにプリズム突起の上端形状が円弧状に形成される場合について説明したが、楕円を含む曲線として形成される場合であっても良い。また、入射面に平行な断面におけるプリズム突起の断面形状がＶ字形状である場合について説明したが、その他様々な形状を採用しても良い。
【００９２】
また、図中に示した光路や各構成要素の縮尺等は、説明のために模式的に表されており実際の光路や縮尺等とは一致しない。
【００９３】
なお、上記様々な実施形態のうちの任意の実施形態を適宜組み合わせることにより、それぞれの有する効果を奏するようにすることができる。
【産業上の利用可能性】
【００９４】
液晶テレビ、タブレット端末、ノートパソコン等のバックライト、照明装置の発光装置
【符号の説明】
【００９５】
１  導光板
２  拡散シート
３  プリズムシート
４  光学シート
５  反射シート
６  ＬＥＤ
１０、３０  入射面
１１、３１  出射面
１２、３２  伝播反射面
１１ａ、３１ａ  伝播領域
１１ｂ、３１ｂ  拡散伝播補助領域
１１ｃ、３１ｃ  拡散伝播領域
【図１】
2014007054.tif 000005
【図２】
2014007054.tif 000006
【図４】
2014007054.tif 000007
【図５】
2014007054.tif 000008
【図６】
2014007054.tif 000009
【図７】
2014007054.tif 000010
【図８】
2014007054.tif 000011
【図９】
2014007054.tif 000012
【図１０】
2014007054.tif 000013
【図１１】
2014007054.tif 000014
【図１２】
2014007054.tif 000015
【図１３】
2014007054.tif 000016
【図１４】
2014007054.tif 000017
【図１５】
2014007054.tif 000018
【図１６】
2014007054.tif 000019
【図１７】
2014007054.tif 000020
【図１８】
2014007054.tif 000021
【図２２】
2014007054.tif 000022
【図２４】
2014007054.tif 000023
【図２５】
2014007054.tif 000024
【図２６】
2014007054.tif 000025
【図２７】
2014007054.tif 000026
【図２９】
2014007054.tif 000027
【図３０】
2014007054.tif 000028
【図３２】
2014007054.tif 000029
【図３３】
2014007054.tif 000030
【図３４】
2014007054.tif 000031
【図３５】
2014007054.tif 000032
【図３６】
2014007054.tif 000033
【図３７】
2014007054.tif 000034
【図３８】
2014007054.tif 000035
【図３】
2014007054.tif 000036
【図１９】
2014007054.tif 000037
【図２０】
2014007054.tif 000038
【図２１】
2014007054.tif 000039
【図２３】
2014007054.tif 000040
【図２８】
2014007054.tif 000041
【図３１】
2014007054.tif 000042